(57)【要約】【課題】動作中に警告状態が発生したことを観衆に知られることを防止できる画像表示装置を提供する。【解決手段】プロジェクター１は、プロジェクター本体に備えられ、入力操作を受け付ける本体操作手段２３と、プロジェクター１を遠隔操作するためのリモコンＲＣから送信される操作信号を受信する操作信号受信手段２４と、プロジェクター１に警告状態が発生したことを検知する警告検知手段２５と、本体操作手段２３が受け付けた入力操作を有効とする通常モード、および無効とするデモモードのいずれかを設定するモード設定手段２０１と、を備え、デモモードにおいて、プロジェクター１に警告状態が発生したことを検知した場合、リモコンＲＣによる所定の入力操作を受け付けたときに警告状態の発生を報知する。【選択図】図２
2015087573.tif 000002
【特許請求の範囲】
【請求項１】
入力された画像情報に応じた画像を表示する表示手段を有する画像表示装置であって、
当該画像表示装置本体に備えられ、入力操作を受け付ける本体操作手段と、
当該画像表示装置を遠隔操作するためのリモートコントローラーから送信される操作信号を受信する操作信号受信手段と、
当該画像表示装置に警告状態が発生したことを検知する警告検知手段と、
前記本体操作手段が受け付けた入力操作を有効とする通常モード、および無効とするデモモードのいずれかを設定するモード設定手段と、を備え、
前記デモモードにおいて、当該画像表示装置に警告状態が発生したことを検知した場合、前記リモートコントローラーによる所定の入力操作を受け付けたときに前記警告状態の発生を報知することを特徴とする画像表示装置。
【請求項２】
請求項１に記載の画像表示装置であって、
前記所定の入力操作は、電源オフ操作であることを特徴とする画像表示装置。
【請求項３】
入力された画像情報に応じた画像を表示する表示手段を有する画像表示装置の制御方法であって、
当該画像表示装置本体に備えられた本体操作手段による入力操作を受け付ける第１の入力操作ステップと、
当該画像表示装置を遠隔操作するためのリモートコントローラーによる入力操作を受け付ける第２の入力操作ステップと、
当該画像表示装置に警告状態が発生したことを検知する警告検知ステップと、
前記本体操作手段が受け付けた入力操作を有効とする通常モード、および無効とするデモモードのいずれかを設定するモード設定ステップと、
前記デモモードにおいて、当該画像表示装置に警告状態が発生したことを検知した場合、前記リモートコントローラーによる所定の入力操作を検出したときに前記警告状態の発生を報知する報知ステップと、
を有することを特徴とする画像表示装置の制御方法。
【発明の詳細な説明】
【技術分野】
【０００１】
本発明は、画像表示装置、および画像表示装置の制御方法に関する。
【背景技術】
【０００２】
画像を表示する画像表示装置（例えば、プロジェクター）には温度警告、光源の寿命警告などの各種警告機能を有し、警告状態が発生すると直ちに報知し、使用者に対処を促すようになっている。
【０００３】
特許文献１では、動作中に発生した異常を記録し、後で確認できる機能を有した記録再生装置が開示されている。この装置によれば、異常発生時に報知を見落とした場合でも後で確認することができる。
特許文献２では、温度異常が発生した場合に直ちに電源をオフし、次回の起動時には低輝度で起動するプロジェクターが開示されている。
【先行技術文献】
【特許文献】
【０００４】
【特許文献１】特開平５−２５０７６４号公報
【特許文献２】特開２００９−２８８２７７号公報
【発明の概要】
【発明が解決しようとする課題】
【０００５】
しかしながら、デモンストレーションなどで、一般の観衆が画面を見ているときに警告状態が発生した場合、警告状態の発生を報知することや、直ちに電源をオフすることは、観衆に不安を与えてしまい好ましくなかった。
【課題を解決するための手段】
【０００６】
本発明は、上述の課題の少なくとも一部を解決するためになされたものであり、以下の形態または適用例として実現することが可能である。
【０００７】
［適用例１］本適用例に係る画像表示装置は、入力された画像情報に応じた画像を表示する表示手段を有する画像表示装置であって、当該画像表示装置本体に備えられ、入力操作を受け付ける本体操作手段と、当該画像表示装置を遠隔操作するためのリモートコントローラーから送信される操作信号を受信する操作信号受信手段と、当該画像表示装置に警告状態が発生したことを検知する警告検知手段と、前記本体操作手段が受け付けた入力操作を有効とする通常モード、および無効とするデモモードのいずれかを設定するモード設定手段と、を備え、前記デモモードにおいて、当該画像表示装置に警告状態が発生したことを検知した場合、前記リモートコントローラーによる所定の入力操作を受け付けたときに前記警告状態の発生を報知することを特徴とする。
【０００８】
本適用例によれば、本体操作手段による入力操作を無効とするデモモードで、動作中に警告状態が発生した場合、リモートコントローラー（リモコン）で所定の入力操作をした場合に、発生した警告状態を報知する。つまり、デモンストレーション中は警告状態が発生しても報知しないので、観衆に不安を与えず、リモコンを持つ管理者が所定の操作をした場合に、発生した警告状態を報知して、警告状態に対する対処を促すことが可能となる。
【０００９】
［適用例２］上記適用例に記載の画像表示装置において、前記所定の入力操作は、電源オフ操作であることが好ましい。
【００１０】
本適用例によれば、本体操作手段による入力操作を無効とするデモモードでの動作中に、警告状態が発生した場合、リモコンによる電源オフ操作を検出したときに、発生した警告状態を報知する。これにより、デモンストレーションが終了した後、管理者がリモコンの操作で電源オフしようとしたときに、発生した警告状態を報知するので、警告状態の発生を確実に管理者に報知することが可能となる。
【００１１】
［適用例３］本適用例に係る画像表示装置の制御方法は、入力された画像情報に応じた画像を表示する表示手段を有する画像表示装置の制御方法であって、当該画像表示装置本体に備えられた本体操作手段による入力操作を受け付ける第１の入力操作ステップと、当該画像表示装置を遠隔操作するためのリモートコントローラーによる入力操作を受け付ける第２の入力操作ステップと、当該画像表示装置に警告状態が発生したことを検知する警告検知ステップと、前記本体操作手段が受け付けた入力操作を有効とする通常モード、および無効とするデモモードのいずれかを設定するモード設定ステップと、前記デモモードにおいて、当該画像表示装置に警告状態が発生したことを検知した場合、前記リモートコントローラーによる所定の入力操作を検出したときに前記警告状態の発生を報知する報知ステップと、を有することを特徴とする。
【００１２】
本適用例によれば、本体操作手段による入力操作を無効とするデモモードで、動作中に警告状態が発生した場合、リモコンで所定の入力操作をした場合に、発生した警告状態を報知する。つまり、デモンストレーション中は警告状態が発生しても報知しないので、観衆に不安を与えず、リモコンを持つ管理者が所定の操作をした場合に、発生した警告状態を報知して、警告状態に対する対処を促すことが可能となる。
【図面の簡単な説明】
【００１３】
【図１】実施形態に係るプロジェクターの回路構成を示すブロック図。
【図２】プロジェクターの画面表示の遷移を示す図。
【図３】プロジェクターが動作中に警告状態を検知したときの動作を示すフローチャート。
【図４】プロジェクターが動作中に本体操作手段による入力操作を受け付けたときの動作を示すフローチャート。
【図５】プロジェクターが動作中にリモートコントローラーによる入力操作を受け付けたときの動作を示すフローチャート。
【発明を実施するための形態】
【００１４】
以下、図面を参照して本発明の一実施形態であるプロジェクターについて説明するが、以下の実施形態は特許請求の範囲にかかる発明を限定するものではなく、また、実施形態における特徴の組み合わせの全てが発明の解決手段に必須であるとは限らない。
【００１５】
（実施形態）
図１は、実施形態に係るプロジェクター１の回路構成を示すブロック図である。
図１に示すように、プロジェクター１は、画像入力端子６、画像投写手段１０、ＯＳＤ処理手段１６、画像信号処理手段１７、画像信号入力手段１８、制御手段２０、記憶手段２１、光源制御手段２２、本体操作手段２３、操作信号受信手段２４、警告検知手段２５、電源端子３０、電源部３１等で構成されており、これらは図示しない筐体の内部または外面に配置されている。
【００１６】
画像投写手段１０は表示手段に相当するものであり、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調して画像光を形成し、この画像光を投写レンズ１３から投写することによってスクリーンＳＣ等に画像を表示する。
【００１７】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００１８】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００１９】
なお、本実施形態では、画像投写手段１０は、３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２０】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。制御手段２０は、本体操作手段２３の入力操作を有効とする通常モードと、無効とするデモモードとのいずれかを設定するモード設定手段２０１を含む。
【００２１】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
本実施形態では記憶手段２１は、警告状態の発生を記録する警告情報２１１が保存される。警告情報２１１には、発生した警告状態の種類、内容などの情報が保存される。
【００２２】
本体操作手段２３は、プロジェクター１の図示しない本体筐体外面に備えられ、ユーザーがプロジェクター１に対して各種指示を行うための複数の操作キーを備えている。本体操作手段２３が備える操作キーとしては、電源のオン・オフを交互に切り替えるための電源キーや、画像信号入力手段１８に入力される複数の画像入力端子６を切り替えるための入力切替キー、各種設定を行うための設定メニューを重畳表示させるメニューキー、メニューからユーザーが設定項目を選択するカーソルキー、決定キー、エスケープキー等がある。ユーザーが本体操作手段２３の各種操作キーを操作すると、本体操作手段２３は、ユーザーの操作内容に応じた操作信号を制御手段２０に出力する。
【００２３】
操作信号受信手段２４は、遠隔操作で入力操作を行うリモートコントローラー（リモコン）ＲＣからの赤外線等の操作信号を受信し、ユーザーの操作内容に応じた制御情報を制御手段２０に伝達する。リモコンＲＣは本体操作手段２３と同等の操作キーを備える。
【００２４】
画像信号入力手段１８は、複数の画像入力端子６より、ビデオ再生装置やパーソナルコンピューター等、外部の画像出力装置から、図示しないケーブルを介して画像情報が入力される。入力された画像情報は、制御手段２０の指示に基づき、画像信号処理手段１７に出力される。なお、画像信号入力手段１８は、無線通信や光通信などの受信部を備え、外部機器から無線によって画像信号を入力する構成にしてもよい。
【００２５】
画像信号処理手段１７は、画像信号入力手段１８から入力される画像情報を、液晶ライトバルブ１２Ｒ，１２Ｇ，１２Ｂの各画素の階調を表す画像情報に変換する。ここで、変換された画像情報は、赤（Ｒ）、緑（Ｇ）、青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００２６】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００２７】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。
ＯＳＤ画像情報が合成された画像情報は、液晶駆動手段１４に出力される。なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００２８】
液晶駆動手段１４がＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００２９】
光源制御手段２２は、制御手段２０の指示に基づいて、光源１１に対する電力の供給と停止とを制御し、光源１１の点灯及び消灯を切り替える。
【００３０】
警告検知手段２５は、プロジェクター１に警告状態が発生したことを検知し、制御手段２０に通知する。警告検知手段２５が検知する警告の種類としては、プロジェクター１の内部温度が所定の警告温度を超えた場合の温度警告、光源１１の点灯時間が寿命時間に達した場合の光源寿命警告などがある。
【００３１】
電源部３１には、電源端子３０を介してＡＣ１００Ｖ等の電力が外部から供給される。電源部３１は、入力した電力（交流電力）を所定の直流電力に変換して、プロジェクター１の各部に変換した電力を供給する。
また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００３２】
次に、本実施形態のプロジェクター１の画面表示の遷移を、図２を用いて説明する。
図２（ａ）はプロジェクター１が通常に動作しているときの画面Ｇ１を示す。図２（ａ）に示す画面Ｇ１の状態からプロジェクター１に警告状態が発生したとき、通常モードの場合は図２（ｂ）に示す画面Ｇ２に遷移し、デモモードの場合は図２（ａ）に示す画面Ｇ１を継続する。
また、デモモードで警告状態が発生した後、リモコンＲＣによる電源オフ操作を受け付けると、図２（ｃ）に示す画面Ｇ３に遷移する。
【００３３】
図２（ｂ）の画面Ｇ２に示すように、通常モードでプロジェクター１に警告状態が発生した場合は、発生した警告状態の内容を表示して報知する。図２（ｂ）の画面Ｇ２に示す状態から、本体操作手段２３またはリモコンＲＣによる電源オフ操作を受け付けると、図２（ｄ）に示す電源オフ状態（画面Ｇ４）に遷移する。
【００３４】
図２（ｃ）の画面Ｇ３に示すように、デモモードでプロジェクター１に警告状態が発生した後、リモコンＲＣによる電源オフ操作を受け付けると、動作中に発生した警告状態の内容を表示して報知する。この状態から所定時間経過すると、図２（ｄ）に示す電源オフ状態（画面Ｇ４）に遷移する。
【００３５】
なお、図２（ａ）において、通常モードでの動作中に、本体操作手段２３またはリモコンＲＣによる電源オフ操作を受け付けると、図２（ｄ）の電源オフ状態に遷移する。
図２（ｄ）に示す画面Ｇ４は、プロジェクター１が電源オフし、画像を表示していないことを示す。
【００３６】
上述したように、通常モードでは警告状態が発生すると直ちに報知し、デモモードではリモコンによる電源オフ操作を受け付けたときに、発生した警告状態を報知する。
【００３７】
次に、本実施形態のプロジェクター１の動作を、図３から図５のフローチャートを用いて説明する。図３はプロジェクター１が動作中に警告状態の発生を検知したときの動作、図４はプロジェクター１が動作中に本体操作手段２３の入力操作を受け付けたときの動作、図５はプロジェクター１が動作中にリモコンＲＣの入力操作を受け付けたときの動作を示すフローチャートである。
【００３８】
［動作中に警告状態の発生を検知したときの動作］
図３に示すように、プロジェクター１が動作中に警告検知手段２５により警告状態の発生を検知すると（ステップＳ１０１）、発生した警告状態を警告情報２１１に記録し（ステップＳ１０２）、ステップＳ１０３に遷移する。ステップＳ１０１が警告検知ステップに相当する。
【００３９】
ステップＳ１０３において制御手段２０は、モード設定手段２０１によりプロジェクター１がデモモードに設定されているか否かを調べる。デモモードに設定されている場合（ステップＳ１０３：Ｙ）にはステップＳ１０５に遷移する。デモモードでない、即ち通常モードに設定されている場合（ステップＳ１０３：Ｎ）には、ステップＳ１０４に遷移する。
【００４０】
ステップＳ１０４において制御手段２０は、発生した警告状態の内容を示す画面Ｇ２（図２（ｂ））を画像投写手段１０に投写させて警告状態の発生を報知し、ステップＳ１０５に遷移する。
【００４１】
ステップＳ１０５において本動作フローを終了する。
【００４２】
［動作中に本体操作手段による入力操作を受け付けたときの動作］
図４に示すように、プロジェクター１が動作中に本体操作手段２３による入力操作を受け付けると（ステップＳ２０１）、ステップＳ２０２に遷移する。ステップＳ２０１が第１の入力操作ステップに相当する。
【００４３】
ステップＳ２０２において制御手段２０は、モード設定手段２０１によりプロジェクター１がデモモードに設定されているか否かを調べる。デモモードに設定されている場合（ステップＳ２０２：Ｙ）には、ステップＳ２０４に遷移する。デモモードでない場合、即ち通常モードに設定されている場合（ステップＳ２０２：Ｎ）には、ステップＳ２０３に遷移する。
【００４４】
ステップＳ２０３において制御手段２０は、ステップＳ２０１において受け付けた入力操作に応じた処理を実行し、ステップＳ２０４に遷移する。入力操作が通常モード、およびデモモードの変更操作の場合には、モード設定手段２０１により選択したモードに設定する。ステップＳ２０３はモード設定ステップにも相当する。
【００４５】
ステップＳ２０４において本動作フローを終了する。上述したように、デモモードの場合には本体操作手段２３による入力操作は無効となる。
【００４６】
［動作中にリモコンによる入力操作を受け付けたときの動作］
図５に示すように、プロジェクター１が動作中にリモコンＲＣによる入力操作を受け付けると（ステップＳ３０１）、ステップＳ３０２に遷移する。ステップＳ３０１が第２の入力操作ステップに相当する。
【００４７】
ステップＳ３０２において制御手段２０は、ステップＳ３０１において受け付けた入力操作が電源オフ操作か否かを調べる。受け付けた入力操作が電源オフ操作の場合（ステップＳ３０２：Ｙ）には、ステップＳ３０３に遷移する。受け付けた入力操作が電源オフ操作でない場合（ステップＳ３０２：Ｎ）には、ステップＳ３０８に遷移する。
【００４８】
ステップＳ３０８において制御手段２０は、ステップＳ３０２において受け付けた入力操作に応じた処理を実行し、ステップＳ３０９に遷移する。入力操作が通常モード、およびデモモードの変更操作の場合には、モード設定手段２０１により選択したモードに設定する。ステップＳ３０８はモード設定ステップにも相当する。
【００４９】
ステップＳ３０９において本動作フローを終了する。
【００５０】
ステップＳ３０３において制御手段２０は、モード設定手段２０１によりプロジェクター１がデモモードに設定されているか否かを調べる。デモモードに設定されている場合（ステップＳ３０３：Ｙ）には、ステップＳ３０４に遷移する。デモモードでない、即ち通常モードに設定されている場合（ステップＳ３０３：Ｎ）には、ステップＳ３０６に遷移する。
【００５１】
ステップＳ３０４において制御手段２０は、警告情報２１１に警告状態の発生が記録されているか否かを調べる。警告状態の発生が記録されている場合（ステップＳ３０４：Ｙ）には、ステップＳ３０５に遷移する。警告状態の発生が記録されていない場合（ステップＳ３０４：Ｎ）には、ステップＳ３０６に遷移する。
【００５２】
ステップＳ３０５において制御手段２０は、警告情報２１１に記録されている警告状態を示す画面Ｇ３（図２（ｃ））を画像投写手段１０により所定時間投写させて警告状態の発生を報知し、ステップＳ３０６に遷移する。ステップＳ３０４からステップＳ３０５が報知ステップに相当する。
【００５３】
ステップＳ３０６において制御手段２０は、光源制御手段２２により光源１１を消灯させ、プロジェクター１の電源オフ処理を行い、ステップＳ３１０に遷移する。
【００５４】
ステップＳ３１０において、プロジェクター１をスタンバイ状態に移行し、本動作フローを終了する。
【００５５】
上述した実施形態によれば、以下の効果を得られる。
本実施形態のプロジェクター１によれば、本体操作手段２３による入力操作を無効とするデモモードで動作中に警告状態が発生した場合、リモコンＲＣで所定の入力操作をした場合に発生した警告状態を報知する。つまり、デモンストレーション中は警告状態が発生しても報知しないので、観衆に不安を与えず、リモコンＲＣを持つ管理者が所定の操作を行った場合に、発生した警告状態を報知して、警告状態に対する対処を促すことが可能となる。
【００５６】
また、本体操作手段２３による入力操作を無効とするデモモードでの動作中に警告状態が発生した場合、リモコンＲＣによる電源オフ操作を検出したときに、発生した警告状態を報知する。これにより、デモンストレーションが終了した後、管理者がリモコンＲＣの操作で電源オフしようとしたときに、発生した警告状態を報知するので、警告状態の発生を確実に管理者に報知することが可能となる。
【００５７】
また、上記実施形態は、以下のように変更してもよい。
（変形例１）
上述した実施形態において、プロジェクター１の電源をオンしたとき、デモモードまたは通常モードのいずれに設定されているかを報知するようにしてもよい。これにより、デモンストレーション時にデモモードに設定するのを忘れ、通常モードのまま動作してプロジェクター１に警告状態が発生したときに、観衆に知られてしまうことを防止できる。
【００５８】
（変形例２）
上術した実施形態では、プロジェクター１を例にして説明しているが、プロジェクターに限定するものではなく、画像を表示する表示手段を備えた画像表示装置であれば、適用することが可能である。例えば、透過型のスクリーンを一体的に備えたリアプロジェクター、液晶ディスプレイ、プラズマディスプレイ、有機ＥＬ（Electro Luminescence）ディスプレイ等に適用することも可能である。
【符号の説明】
【００５９】
１…プロジェクター、６…画像入力端子、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像信号処理手段、１８…画像信号入力手段、２０…制御手段、２０１…モード設定手段、２１…記憶手段、２１１…警告情報、２２…光源制御手段、２３…本体操作手段、２４…操作信号受信手段、２５…警告検知手段、３０…電源端子、３１…電源部、ＲＣ…リモートコントローラー。
【図１】
2015087573.tif 000003
【図３】
2015087573.tif 000004
【図４】
2015087573.tif 000005
【図５】
2015087573.tif 000006
【図２】
2015087573.tif 000007